(57)【要約】      （修正有）【課題】装着デバイスの分野に関し、特に調整可能な骨伝導音響装置を有する頭部装着デバイスを提供する。【解決手段】調整可能な骨伝導音響装置２を有する頭部装着デバイス１を提供し、該骨伝導音響装置は頭部装着デバイス１に移動可能に接続され、移動方式は少なくとも回転を含む。調整可能な骨伝導音響装置の構造を設けることで、装着者の頭の形状又は顔の形状に応じてフィット性を調整することができ、調整可能な範囲が広く、フィット性が高く、快適性が高く、適用範囲が広い。【選択図】図１
2020053957.tif 000002
【特許請求の範囲】
【請求項１】
頭部装着デバイスと、骨伝導音響部材とを含むヘッドマウント式の骨伝導音響装置であって、
前記ヘッドマウント式の骨伝導音響装置は、接続構造をさらに含み、
前記骨伝導音響部材は、前記接続構造を介して前記頭部装着デバイスに少なくとも回転可能に接続されている、ヘッドマウント式の骨伝導音響装置。
【請求項２】
前記骨伝導音響部材は、骨伝導のイヤホン、スピーカ又はマイクロホンの１つ又は複数の組み合わせであり、
前記頭部装着デバイスは、眼鏡、マスク、ヘルメット、帽子、ヘッドマウントディスプレイ、ヘッドマウントライト、バーチャルリアリティ機器、ヘッドマウントファン、ヘッドマウントゲーム機器、ヘッドマウント医療機器、ヘッドマウント制御装置及びヘッドマウント通話装置の少なくとも１つを含み、
眼鏡は、通常の光学眼鏡、又は計算機能若しくは通信機能を有するスマート眼鏡を含み、
ヘッドマウント医療機器は、ヘッドマウント血圧測定装置を含み、
ヘッドマウント制御装置は、音声制御装置を含む、請求項１に記載のヘッドマウント式の骨伝導音響装置。
【請求項３】
前記頭部装着デバイスは眼鏡であり、眼鏡の種類は通常の光学眼鏡、又は計算機能若しくは通信機能を有するスマート眼鏡を含み、前記眼鏡はテンプルを含み、
前記骨伝導音響部材は、骨伝導のイヤホン、マイクロホン又はその組み合わせであり、
該移動可能な接続方式は、回転である、請求項２に記載のヘッドマウント式の骨伝導音響装置。
【請求項４】
前記骨伝導音響部材は、回転構造を介して前記テンプルに接続され、
前記回転構造は、回転軸ブラケット及び連結部材を含み、
前記回転軸ブラケットはテンプルに接続され、前記回転軸ブラケットには連結部材を通過させる穴が設けられている、請求項３に記載のヘッドマウント式の骨伝導音響装置。
【請求項５】
前記回転軸ブラケットは、スナップ接続、リベット接続、ネジ接続、回転接続、又は一体成形によりテンプルに固定的に接続されている、請求項４に記載のヘッドマウント式の骨伝導音響装置。
【請求項６】
前記骨伝導音響部材は、少なくとも第１筐体及び第２筐体である２つの筐体を含み、
前記連結部材は回転軸を含み、前記回転軸の一端は、第１筐体の内側に接続され、且つ回転軸ブラケットにおける穴を通過して第２筐体の内側に接続され、
第１筐体又は第２筐体と回転軸ブラケットとの間には、抵抗を増加させるワッシャが設けられている、請求項５に記載のヘッドマウント式の骨伝導音響装置。
【請求項７】
前記回転軸と第１筐体の内側との接続方式は、第１接続方式又は第２接続方式の何れかであり、
前記第１接続方式は、前記回転軸の一端及び前記第１筐体の接続部には噛合構造がそれぞれ設けられ、前記第１筐体内に取付溝が設けられ、前記回転軸の噛合構造が該筐体の噛合構造と互いに噛合することにより、前記回転軸を該筐体の取付溝内に嵌入することであり、
前記第２接続方式は、前記回転軸の一端が一体成形するように第１筐体の内側に接続されている、請求項６に記載のヘッドマウント式の骨伝導音響装置。
【請求項８】
前記回転軸は、回転軸ブラケットにおける穴を通過して、固定部材により第２筐体の内側に接続され、
前記固定部材は、ネジ、ボルト、先端が拡張する挿入連結部材を含み、
前記接続は、嵌入接続、スナップ接続、挿入接続、ネジ接続、溶接、リベット接続を含み、
前記固定部材は外側から内側へ第２筐体を通過して回転軸に接続され、固定部材と第２筐体との間にはスペーサが選択的に設けられている、請求項７に記載のヘッドマウント式の骨伝導音響装置。
【請求項９】
前記ワッシャは、金属ワッシャ、シリコンワッシャ、ゴムワッシャを含む、請求項６に記載のヘッドマウント式の骨伝導音響装置。
【請求項１０】
第１接続方式により請求項７に記載のヘッドマウント式の骨伝導音響装置における回転軸と第１筐体を取り付ける取付方法であって、
筐体を射出成形するための金型に回転軸を入れ、筐体を射出成形するステップを含み、
射出成形により形成された筐体には、回転軸が接続されており、
該射出成形のステップにおいて、筐体の取付溝の内壁には、対応する回転軸の端部の噛合構造と噛合する噛合構造が形成されている、取付方法。
【発明の詳細な説明】
【技術分野】
【０００１】
本開示は、装着デバイスの分野に関し、特に調整可能な骨伝導音響装置を有する頭部装着デバイスに関する。
【背景技術】
【０００２】
骨伝導は、音を様々な周波数の機械的振動に変換し、人間の頭蓋骨、骨迷路、内耳リンパ系伝播、ラセン器、聴神経及び聴覚中枢を通して音波を伝播する音伝導の方式である。鼓膜を振動させて音波を生成する伝統的な音伝導方式に比べて、骨伝導は音波を伝播する複数のステップを省略し、音波の空気における拡散により他人に影響を与えることなく、雑音の多い環境で明瞭な音を再現することができる。骨伝導を利用する従来の音響装置は、主に骨伝導イヤホン及び骨伝導マイクロホンを含む。
【０００３】
骨伝導イヤホンの例として、従来の殆どの骨伝導イヤホンの主要構造は、２つのイヤホン部及びイヤホン部に接続される後端接続ロッドを含み（例えばＵＳ２０１４／０１８５８３７Ａ１又はＣＮ２０５１７９３０４Ｕに開示されているように）、通常、イヤホン部は固定されており、主に後端接続ロッドを調整することにより、骨伝導イヤホンと装着者の頭の形状又は顔の形状とのフィット性のレベルを調整する。骨伝導イヤホンが他のタイプの頭部装着デバイス（例えば眼鏡、ヘルメット等）に組み込まれる場合、後端接続ロッドという部材がないため、骨伝導イヤホンの装着のフィット性を調整するための他の方法が必要となる。
【０００４】
従来技術では、眼鏡に骨伝導イヤホンが設けられる技術が既に存在している。骨伝導イヤホンと装着者の頭の形状又は顔の形状とのフィット性という問題に対する一般的な解決策としては、イヤホンと装着装置との接続部材、又は装着装置の部材（例えばテンプル）に弾性材料を採用する。例えば、ＣＮ２０７１８４７７４Ｕは、骨伝導イヤホン本体を含む筐体及び対応する挟持部を設け、ゴム、シリコーン等の弾性部材を用いて挟持部を製造することで、眼鏡に設けられた骨伝導イヤホンの適用性を向上させる。ＣＮ２０６６８４４１１Ｕは、テンプルの外側層をシリコーンで囲むことで、弾性により骨伝導イヤホンを様々な顔の形状にフィットさせることができる。しかし、このような解決策は、調整可能な範囲が狭く、挟持による不快感が高く、長期間の使用後の弾性部材の老化によりフィット性が低下してしまうという明らかな欠点を有する。
【０００５】
ＣＮ１０７７９７３０８Ａには、骨伝導イヤホンの位置を調整可能なサングラスが開示され、骨伝導イヤホンが接続構造を介してサングラスのテンプルに接続され、該接続構造は、骨伝導イヤホンに固定されたガイド穴を有する接続板と、該テンプルに位置する該接続板が入る接続溝と、接続溝内に位置する該ガイド穴に入る突出ロッドとを含み、突出ロッドがガイド穴の異なる位置に位置するように骨伝導イヤホンを押したり引いたりすることで骨伝導イヤホンの接続溝から突出する長さを調整し、骨伝導イヤホンが使用者の顔の異なる部位に合うように調整する。しかし、該構造は、骨伝導イヤホンをテンプルの方向に沿って平行に移動させることができるが、他の方向に移動させることができなく、即ち骨伝導イヤホンのテンプルから突出する長さのみを調整することができ、調整範囲が非常に狭い。また、ガイドロッド等の調整構造が露出しやすく、外観が美しくない。さらに、溝及び押し引きガイドロッドの構造を有するため、使用者の髪を挟み易く、不快感を引き起こしてしまう。
【発明の概要】
【０００６】
上記の内容から見ると、調整可能な範囲が広く、フィット性が高く、快適性が高い骨伝導音響装置を有する頭部装着デバイスを提供する必要がある。
【０００７】
この需要に応じて、本開示は、頭部装着デバイスと、骨伝導音響部材とを含むヘッドマウント式の骨伝導音響装置であって、前記ヘッドマウント式の骨伝導音響装置は、接続構造をさらに含み、前記骨伝導音響部材は、前記接続構造を介して前記頭部装着デバイスに少なくとも回転可能に接続されている、ヘッドマウント式の骨伝導音響装置を提供する。
【０００８】
本開示の１つの態様では、本開示のヘッドマウント式の骨伝導音響装置における頭部装着デバイスは、眼鏡、マスク、ヘルメット、帽子、ヘッドマウントディスプレイ、ヘッドマウントライト、バーチャルリアリティ機器、ヘッドマウントファン、ヘッドマウントゲーム機器、ヘッドマウント医療機器、ヘッドマウント制御装置及びヘッドマウント通話装置を含むが、これらに限定されない。ここで、眼鏡は、通常の光学眼鏡、又は計算機能若しくは通信機能を有するスマート眼鏡を含むが、これに限定されない。ヘッドマウント医療機器は、ヘッドマウント血圧測定装置を含むが、これに限定されない。ヘッドマウント制御装置は、音声制御装置を含むが、これに限定されない。
【０００９】
本開示の１つの態様では、本開示のヘッドマウント式の骨伝導音響装置における骨伝導音響部材は、骨伝導のイヤホン、スピーカ又はマイクロホンの１つ又は複数の組み合わせである。
【００１０】
本開示の１つの態様では、本開示のヘッドマウント式の骨伝導音響装置における頭部装着デバイスは眼鏡であり、通常の光学眼鏡、又は計算機能若しくは通信機能を有するスマート眼鏡を含む。
【００１１】
本開示の１つの態様では、前記眼鏡はテンプルを含み、骨伝導音響部材は、回転構造を介して前記テンプルに接続され、前記回転構造は、回転軸ブラケット及び連結部材を含み、前記回転軸ブラケットはテンプルに接続され、前記回転軸ブラケットには穴が設けられている。本開示の１つの態様では、前記回転軸ブラケットは、スナップ接続、リベット接続、ネジ接続、回転接続、又は一体成形によりテンプルに固定的に接続されている。
【００１２】
本開示の１つの態様では、前記骨伝導音響部材は、少なくとも第１筐体及び第２筐体である２つの筐体を含み、前記連結部材は回転軸を含み、前記回転軸の一端は、第１筐体の内側に接続され、且つ回転軸ブラケットにおける穴を通過して第２筐体の内側に接続され、第１筐体又は第２筐体と回転軸ブラケットとの間には、抵抗を増加させるワッシャが設けられており、該ワッシャは、筐体の内壁と回転軸ブラケットとの間の摩擦力を増加させることができ、骨伝導音響装置が回転軸において自由にスライドすることを防止することができ、摩擦力により骨伝導音響装置を所定位置にロックすることができる。本開示の１つの態様では、前記回転軸と第１筐体の内側との接続方式は、第１接続方式又は第２接続方式の何れかであり、前記第１接続方式は、前記回転軸の一端及び前記第１筐体の接続部には噛合構造がそれぞれ設けられ、前記第１筐体内に取付溝が設けられ、前記回転軸の噛合構造が該筐体の噛合構造と互いに噛合することにより、前記回転軸を該筐体の取付溝内に嵌入することであり、該噛合構造は噛み合い力を提供することができ、回転軸と筐体との間の滑りを回避することができ、前記第２接続方式は、前記回転軸の一端が一体成形するように第１筐体の内側に接続されている。本開示の１つの態様では、前記ワッシャは、金属ワッシャ、シリコンワッシャ、ゴムワッシャを含む。
【００１３】
本開示の１つの態様では、前記回転軸は、回転軸ブラケットにおける穴を通過して、固定部材により第２筐体の内側に接続されている。本開示の１つの態様では、固定部材は、ネジ、ボルト、先端が拡張する挿入連結部材を含み、前記接続は、嵌入接続、スナップ接続、挿入接続、ネジ接続、溶接、リベット接続、ネジ留めを含み、固定部材と第２筐体との間にはスペーサが選択的に取り付けられている。
【００１４】
本開示の好ましい実施形態では、回転可能な骨伝導イヤホンを有する眼鏡を提供し、眼鏡と、骨伝導イヤホンと、眼鏡と骨伝導イヤホンとを接続させる回転構造とを含み、前記眼鏡はテンプルを含み、前記骨伝導音響部材は、第１筐体及び第２筐体である２つの筐体を含み、前記回転構造は、回転軸ブラケット及び連結部材を含み、前記回転軸ブラケットには穴が設けられ、前記連結部材は回転軸及び固定部材を含み、回転軸の一端及び骨伝導イヤホンの第１筐体には噛合構造がそれぞれ設けられ、第１筐体内には噛合構造を取り付ける取付溝が設けられている。
【００１５】
ここで、回転軸ブラケットは、スナップ接続、リベット接続、ネジ接続、回転接続、又は一体成形によりテンプルに接続され、回転軸の噛合構造が骨伝導イヤホンの第１筐体の噛合構造と互いに噛合することにより、噛合構造を第１筐体の取付溝内に嵌入し、回転軸は回転軸ブラケットにおける穴を通過して固定部材により第２筐体に接続され、第１筐体又は第２筐体と回転軸ブラケットとの間には、抵抗を増加させるワッシャが設けられ、前記ワッシャは、金属ワッシャ、シリコンワッシャ、ゴムワッシャである。
【００１６】
本開示の有利な効果としては、装着者の頭の形状又は顔の形状に応じてフィット性を調整することができる回転可能な骨伝導イヤホンを提供する。骨伝導音響装置を回転可能な骨伝導イヤホンに対して回転させることで、装着者の様々な頭の形状又は顔の形状に応じてフィット性を調整することができ、調整可能な範囲が広く、フィット性が高く、快適性が高く、適用範囲が広い。
【図面の簡単な説明】
【００１７】
【図１】本開示の実施例に係る回転可能な骨伝導イヤホンを有する眼鏡を示す図である。
【図２Ａ】図２Ａ及び図２Ｂは本開示の実施例に係る回転可能な骨伝導イヤホンを有する眼鏡の骨伝導イヤホン収納状態及び回転状態を示す図である。
【図２Ｂ】図２Ａ及び図２Ｂは本開示の実施例に係る回転可能な骨伝導イヤホンを有する眼鏡の骨伝導イヤホン収納状態（図２Ａ）及び回転状態（図２Ｂ）を示す図である。
【図３Ａ】図３Ａ及び図３Ｂは本開示の実施例に係る回転可能な骨伝導イヤホンを有する眼鏡の構成部材を示す図（図３Ａ）及び組み立て完了状態を示す図（図３Ｂ）である。
【図３Ｂ】図３Ａ及び図３Ｂは本開示の実施例に係る回転可能な骨伝導イヤホンを有する眼鏡の構成部材を示す図（図３Ａ）及び組み立て完了状態を示す図（図３Ｂ）である。
【図４】本開示の実施例に係る回転可能な骨伝導イヤホンを有する眼鏡のテンプルと回転軸ブラケットの接続構造を示す図である。
【図５Ａ】本開示の実施例に係る回転可能な骨伝導イヤホンを有する眼鏡の回転軸及び骨伝導イヤホンの筐体の、回転軸と骨伝導イヤホンとの間にワッシャが設けられる状態（図５Ｂ）又はワッシャが設けられていない状態（図５Ａ）を示す図である。
【図５Ｂ】本開示の実施例に係る回転可能な骨伝導イヤホンを有する眼鏡の回転軸及び骨伝導イヤホンの筐体の、回転軸と骨伝導イヤホンとの間にワッシャが設けられる状態（図５Ｂ）又はワッシャが設けられていない状態（図５Ａ）を示す図である。
【図６】本開示の実施例に係る回転可能な骨伝導イヤホンを有する眼鏡のテンプルと骨伝導イヤホンとの接続方式を示す図である。
【符号の説明】
【００１８】
１０    回転軸ブラケット
１１    雌ねじを有する取付穴
１２    穴
２１    骨伝導イヤホンの第２筐体
２２    骨伝導イヤホンの第１筐体
２２１    取付溝
３１    回転軸
３２    ネジ
４０    テンプル
４１    取付穴
５０    ワッシャ
【発明を実施するための形態】
【００１９】
以下は図面を参照しながら本開示をさらに詳細に説明する。
【００２０】
＜実施例１：回転可能な骨伝導イヤホンを有する眼鏡＞
本実施例は、骨伝導イヤホン２を有する眼鏡１を提供し、その全体的外観は図１及び図２に示され、図１は眼鏡１の側面図であり、図２は眼鏡１のイヤホン２の収納状態（図２Ａ）及び回転状態（図２Ｂ）の側面図である。
【００２１】
眼鏡１は、レンズ、リム、及びテンプルを含む。ここで、レンズ及びリムの構造は本分野の通常の眼鏡の構造であり、眼鏡のタイプに応じて、当業者が適切な構造のレンズ又はリムを選択してもよく、例えば本実施例の眼鏡は通常の眼鏡又はスマート眼鏡であり、当業者が対応するレンズ及びリムの構造を選択してもよい。
【００２２】
図３に示すように、上述した骨伝導のイヤホン２は、接続構造を介して眼鏡のテンプル４０に回転可能に接続されている。該回転構造は、回転軸ブラケット１０及び連結部材を含む。骨伝導イヤホンは、骨伝導イヤホンの第１筐体２２及び第２筐体２１を含み、連結部材は回転軸３１及びネジ３２（固定部材とも称される）を含む。
【００２３】
図４に示すように、眼鏡のテンプル４０には、回転軸ブラケット１０に接続される接続点が形成され、回転軸ブラケット１０とテンプル４０との接続方式は、ネジ接続、スナップ接続、スロット接続、挿入接続など本分野の通常の接続方式であり、例えばネジ接続を用いる場合、接続点は取付穴４１であり、回転軸ブラケットには、雌ねじを有する取付穴１１が設けられ、ネジが取付穴４１を通過させて取付穴１１にねじ込むことで、回転軸ブラケット１０をテンプル４０に固定する。また、回転軸ブラケット１０には、回転軸３１を通過させる穴１２がさらに設けられている。
【００２４】
図５Ａ及び図５Ｂに示すように、骨伝導イヤホンの第１筐体２２の内側の一端には、噛合構造を有する取付溝２２１が設けられている。回転軸３１の一端にも噛合構造が設けられ、該一端を取付溝２２１内に嵌合することで回転軸３１と第１筐体２２とを接続し、噛合構造による噛み合い力を利用することで、回転軸３１と第１筐体２２との間の滑りを回避することができる。該噛合構造は以下の方法に従って取り付けられてもよい。筐体を射出成形するための金型に回転軸を入れ、筐体を射出成形し、射出成形が完了した後に、回転軸が接続されている筐体が形成され、該射出成形において、筐体の取付溝の内壁にも、対応する回転軸の端部の噛合構造と噛合する噛合構造が形成されている。
【００２５】
回転軸ブラケット１０とテンプル４０との接続、及び回転軸３１と骨伝導イヤホンの第１筐体２２との接続が完了した後に、図６に示すように、回転軸３１の他端を回転軸ブラケット１０における穴１２を通過させて、他方側では、ネジ３２を第２筐体２１の外側から第２筐体２１の内側へ第２筐体２１における穴を通過させて、雌ねじを有する回転軸３１にねじ込むことで、骨伝導イヤホンの第２筐体２１と回転軸ブラケットとを接続させる。ネジ３２と第２筐体２１との間には、ねじ込まれる際の筐体の摩耗を回避するためのスペーサが設けられてもよい。
【００２６】
骨伝導イヤホンの第１筐体２２又は第２筐体２１と回転軸ブラケット１０との間にはワッシャ５０がさらに設けられ、ワッシャは、金属ワッシャ、シリコンワッシャ、ゴムワッシャであってもよい。例えば、ワッシャ５０が第２筐体２１と回転軸ブラケット１０との間に（図３Ａに示すように）設けられてもよい。もう１つの例では、ワッシャ５０が第１筐体２２と回転軸ブラケット１０との間に設けられ、具体的には、回転軸３１と第１筐体２２との間に（図５Ｂに示すように）設けられてもよいし、回転軸３１と回転軸ブラケット１０との間に設けられてもよい。該ワッシャ５０は、筐体の内壁と回転軸ブラケットとの間の摩擦力、即ち抵抗を増加させることができ、骨伝導イヤホンが回転軸において自由にスライドすることを防止することができる。回転調整が必要となる際に、外力（例えば手で押すこと）によって回転させられ、骨伝導イヤホンを所定位置にロックする。
【００２７】
＜実施例２：回転可能な骨伝導イヤホンを有する眼鏡＞
本実施例では、骨伝導イヤホンを有する眼鏡を提供し、該眼鏡の構造は実施例１の眼鏡と基本的に同様であり、回転軸３１と第１筐体２２との接続方式だけで異なっている。即ち、実施例１における噛合構造の代わりに、回転軸３１が第１筐体２２に一体成形するように接続され、両者が相対的にスライドすることができない。この接続は、射出成形により第１筐体２２を製造する際に射出成形により同時に形成されてもよい。
【００２８】
以上は本開示の実施例を説明しているが、本開示を限定するものではない。上記実施例を参照しながら本開示を詳細に説明しているが、当業者が分かるように、上記の各実施例に記載された態様を変更し、或いはその一部の技術的特徴を均等的に変形してもよく、これらの変更又は変形は本開示の各実施例の態様の主旨及び範囲内のものである。
【図１】
2020053957.tif 000003
【図２Ａ】
2020053957.tif 000004
【図２Ｂ】
2020053957.tif 000005
【図３Ａ】
2020053957.tif 000006
【図３Ｂ】
2020053957.tif 000007
【図４】
2020053957.tif 000008
【図５Ａ】
2020053957.tif 000009
【図５Ｂ】
2020053957.tif 000010
【図６】
2020053957.tif 000011
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
頭部装着デバイスと、骨伝導音響部材とを含むヘッドマウント式の骨伝導音響装置であって、
前記ヘッドマウント式の骨伝導音響装置は、接続構造をさらに含み、
前記骨伝導音響部材は、前記接続構造を介して前記頭部装着デバイスに少なくとも回転可能に接続されており、
前記頭部装着デバイスは眼鏡であり、前記眼鏡はテンプルを含み、
前記骨伝導音響部材は、回転構造を介して前記テンプルに接続され、
前記回転構造は、回転軸ブラケット及び連結部材を含み、
前記回転軸ブラケットはテンプルに接続され、前記回転軸ブラケットには連結部材を通過させる穴が設けられており、
前記骨伝導音響部材は、少なくとも第１筐体及び第２筐体である２つの筐体を含み、
前記連結部材は回転軸を含み、前記回転軸の一端は、第１筐体の内側に接続され、且つ回転軸ブラケットにおける穴を通過して第２筐体の内側に接続される、ヘッドマウント式の骨伝導音響装置。
【請求項２】
前記眼鏡は通常の光学眼鏡、又は計算機能若しくは通信機能を有するスマート眼鏡を含み、
前記骨伝導音響部材は、骨伝導のイヤホン、マイクロホン又はその組み合わせである、請求項１に記載のヘッドマウント式の骨伝導音響装置。
【請求項３】
前記回転軸ブラケットは、スナップ接続、リベット接続、ネジ接続、回転接続、又は一体成形によりテンプルに固定的に接続されている、請求項１又は２に記載のヘッドマウント式の骨伝導音響装置。
【請求項４】
第１筐体又は第２筐体と回転軸ブラケットとの間には、抵抗を増加させるワッシャが設けられている、請求項１乃至３の何れかに記載のヘッドマウント式の骨伝導音響装置。
【請求項５】
前記回転軸と第１筐体の内側との接続方式は、第１接続方式又は第２接続方式の何れかであり、
前記第１接続方式は、前記回転軸の一端及び前記第１筐体の接続部には噛合構造がそれぞれ設けられ、前記第１筐体内に取付溝が設けられ、前記回転軸の噛合構造が該筐体の噛合構造と互いに噛合することにより、前記回転軸を該筐体の取付溝内に嵌入することであり、
前記第２接続方式は、前記回転軸の一端が一体成形するように第１筐体の内側に接続されている、請求項１乃至４の何れかに記載のヘッドマウント式の骨伝導音響装置。
【請求項６】
前記回転軸は、回転軸ブラケットにおける穴を通過して、固定部材により第２筐体の内側に接続され、
前記固定部材は、ネジ、ボルト、先端が拡張する挿入連結部材を含み、
前記接続は、嵌入接続、スナップ接続、挿入接続、ネジ接続、溶接、リベット接続を含み、
前記固定部材は外側から内側へ第２筐体を通過して回転軸に接続され、固定部材と第２筐体との間にはスペーサが選択的に設けられている、請求項１乃至５の何れかに記載のヘッドマウント式の骨伝導音響装置。
【請求項７】
前記ワッシャは、金属ワッシャ、シリコンワッシャ、ゴムワッシャを含む、請求項４に記載のヘッドマウント式の骨伝導音響装置。
【請求項８】
第１接続方式により請求項５に記載のヘッドマウント式の骨伝導音響装置における回転軸と第１筐体を取り付ける取付方法であって、
筐体を射出成形するための金型に回転軸を入れ、筐体を射出成形するステップを含み、
射出成形により形成された筐体には、回転軸が接続されており、
該射出成形のステップにおいて、筐体の取付溝の内壁には、対応する回転軸の端部の噛合構造と噛合する噛合構造が形成されている、取付方法。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
頭部装着デバイスと、骨伝導音響部材とを含むヘッドマウント式の骨伝導音響装置であって、
前記ヘッドマウント式の骨伝導音響装置は、接続構造をさらに含み、
前記骨伝導音響部材は、前記接続構造を介して前記頭部装着デバイスに少なくとも回転可能に接続されており、
前記頭部装着デバイスは眼鏡であり、前記眼鏡はテンプルを含み、
前記骨伝導音響部材は、前記接続構造を介して前記テンプルに接続され、
前記接続構造は、回転軸ブラケット及び連結部材を含み、
前記回転軸ブラケットはテンプルに接続され、前記回転軸ブラケットには連結部材を通過させる穴が設けられており、
前記骨伝導音響部材は、少なくとも第１筐体及び第２筐体である２つの筐体を含み、
前記連結部材は回転軸を含み、前記回転軸の一端は、第１筐体の内側に接続され、且つ回転軸ブラケットにおける穴を通過して第２筐体の内側に接続される、ヘッドマウント式の骨伝導音響装置。
【請求項２】
前記眼鏡は通常の光学眼鏡、又は計算機能若しくは通信機能を有するスマート眼鏡を含み、
前記骨伝導音響部材は、骨伝導のイヤホン、マイクロホン又はその組み合わせである、請求項１に記載のヘッドマウント式の骨伝導音響装置。
【請求項３】
前記回転軸ブラケットは、スナップ接続、リベット接続、ネジ接続、回転接続、又は一体成形によりテンプルに固定的に接続されている、請求項１又は２に記載のヘッドマウント式の骨伝導音響装置。
【請求項４】
第１筐体又は第２筐体と回転軸ブラケットとの間には、抵抗を増加させるワッシャが設けられている、請求項１乃至３の何れかに記載のヘッドマウント式の骨伝導音響装置。
【請求項５】
前記回転軸と第１筐体の内側との接続方式は、第１接続方式又は第２接続方式の何れかであり、
前記第１接続方式は、前記回転軸の一端及び前記第１筐体の接続部には噛合構造がそれぞれ設けられ、前記第１筐体内に取付溝が設けられ、前記回転軸の噛合構造が該筐体の噛合構造と互いに噛合することにより、前記回転軸を該筐体の取付溝内に嵌入することであり、
前記第２接続方式は、前記回転軸の一端が一体成形するように第１筐体の内側に接続されている、請求項１乃至４の何れかに記載のヘッドマウント式の骨伝導音響装置。
【請求項６】
前記回転軸は、回転軸ブラケットにおける穴を通過して、固定部材により第２筐体の内側に接続され、
前記固定部材は、ネジ、ボルト、先端が拡張する挿入連結部材を含み、
前記接続は、嵌入接続、スナップ接続、挿入接続、ネジ接続、溶接、リベット接続を含み、
前記固定部材は外側から内側へ第２筐体を通過して回転軸に接続され、固定部材と第２筐体との間にはスペーサが選択的に設けられている、請求項１乃至５の何れかに記載のヘッドマウント式の骨伝導音響装置。
【請求項７】
前記ワッシャは、金属ワッシャ、シリコンワッシャ、ゴムワッシャを含む、請求項４に記載のヘッドマウント式の骨伝導音響装置。
【請求項８】
第１接続方式により請求項５に記載のヘッドマウント式の骨伝導音響装置における回転軸と第１筐体を取り付ける取付方法であって、
筐体を射出成形するための金型に回転軸を入れ、筐体を射出成形するステップを含み、
射出成形により形成された筐体には、回転軸が接続されており、
該射出成形のステップにおいて、筐体の取付溝の内壁には、対応する回転軸の端部の噛合構造と噛合する噛合構造が形成されている、取付方法。
【外国語明細書】
2020053957000001.pdf